(57)【要約】【課題】蓄電モジュール間を接続する通信線の絶縁性を高め、もって蓄電装置を家庭などに設置する際の作業者の安全性を向上させること。【解決手段】複数の蓄電モジュール１０が通信線によってデイジーチェーン接続されている蓄電装置１であって、各蓄電モジュール１０は、組電池３１と、組電池３１から供給される電力によって動作し、組電池３１の状態を監視する監視ＩＣ３２と、監視ＩＣ３２に接続されている第１のフォトカプラ３３と、監視ＩＣ３２に接続されている第２のフォトカプラ３４と、を有し、蓄電モジュール１０の第２のフォトカプラ３４がデイジーチェーン接続における次段の蓄電モジュール１０の第１のフォトカプラ３３に通信線を介して接続されている、蓄電装置１。【選択図】図２
2019030134.tif 000002
【特許請求の範囲】
【請求項１】
複数の蓄電モジュールが通信線によってデイジーチェーン接続されている蓄電装置であって、
各前記蓄電モジュールは、
蓄電素子と、
前記蓄電素子から供給される電力によって動作し、前記蓄電素子の状態を監視する監視部と、
前記監視部に接続されている第１のアイソレータと、
前記監視部に接続されている第２のアイソレータと、
を有し、
前記蓄電モジュールの前記第２のアイソレータが前記デイジーチェーン接続における次段の前記蓄電モジュールの前記第１のアイソレータに前記通信線を介して接続されている、蓄電装置。
【請求項２】
請求項１に記載の蓄電装置であって、
前記複数の蓄電モジュールを管理する管理部と、
前記管理部に接続されている第３のアイソレータと、
を有する管理装置を備え、
前記第３のアイソレータが前記デイジーチェーン接続の最上段の前記蓄電モジュールの前記第１のアイソレータに通信線を介して接続されている、蓄電装置。
【請求項３】
請求項１又は請求項２に記載の蓄電装置であって、
各前記アイソレータに電圧を印加する電源部を備える、蓄電装置。
【発明の詳細な説明】
【技術分野】
【０００１】
本明細書で開示する技術は、複数の蓄電モジュールが通信線によってデイジーチェーン接続されている蓄電装置に関する。
【背景技術】
【０００２】
従来、複数の蓄電モジュールが通信線によってデイジーチェーン接続されている蓄電装置が知られている（例えば、特許文献１参照）。
具体的には、特許文献１に記載の電源装置は、電池セルと、電池セルから電力が供給されている電池状態検出部と、電池状態検出部に接続されている２つの通信インターフェースとを有する機能モジュールを複数備えている。各機能モジュールは一方の通信インターフェースが上段の機能モジュールの通信インターフェースに通信ラインを介して接続され、他方の通信インターフェースが下段の機能モジュールの通信インターフェースに通信ラインを介して接続されている。
【先行技術文献】
【特許文献】
【０００３】
【特許文献１】国際公開第ＷＯ２０１２／０５３４２６号
【発明の概要】
【発明が解決しようとする課題】
【０００４】
ところで、近年、家庭や事業所などに設置される固定型の蓄電装置が普及している。固定型の蓄電装置を用いると、例えば電気料金が安い夜間に充電して昼間に使用することが可能になる。これにより電気料金を節約できる上、昼間の電力需要のピークを抑制することにも寄与する。また、昼間に太陽光発電によって充電することによって資源の節約や環境保護にも貢献する。
【０００５】
しかしながら、前述した特許文献１に記載の電源装置は、固定型の蓄電装置として用いる場合に安全性が懸念される。具体的には、特許文献１に記載の電源装置では電池セルから電力が供給されている電池状態検出部から通信インターフェースを介して通信ラインに高電圧が印加される。このため、蓄電装置を家庭などに設置する際に作業者が通信ラインに触れて感電すると危険である。
【０００６】
本明細書では、蓄電モジュール間を接続する通信線の絶縁性を高め、もって蓄電装置を家庭などに設置する際の作業者の安全性を向上させる技術を開示する。
【課題を解決するための手段】
【０００７】
本明細書によって開示される蓄電装置は、複数の蓄電モジュールが通信線によってデイジーチェーン接続されている蓄電装置であって、各前記蓄電モジュールは、蓄電素子と、前記蓄電素子から供給される電力によって動作し、前記蓄電素子の状態を監視する監視部と、前記監視部に接続されている第１のアイソレータと、前記監視部に接続されている第２のアイソレータと、を有し、前記蓄電モジュールの前記第２のアイソレータが前記デイジーチェーン接続における次段の前記蓄電モジュールの前記第１のアイソレータに前記通信線を介して接続されている。
【０００８】
上記の蓄電装置によると、蓄電モジュール間を接続する通信線の絶縁性を高めることができ、もって蓄電装置を家庭などに設置する際の作業者の安全性が向上する。
【図面の簡単な説明】
【０００９】
【図１】一実施形態に係る蓄電装置の全体構成を示すブロック図
【図２】管理装置、蓄電ジュール及び通信系の回路図
【図３】比較例に係る管理装置、蓄電ジュール及び通信系の回路図
【発明を実施するための形態】
【００１０】
（本実施形態の概要）
本明細書によって開示される蓄電装置は、複数の蓄電モジュールが通信線によってデイジーチェーン接続されている蓄電装置であって、各前記蓄電モジュールは、蓄電素子と、前記蓄電素子から供給される電力によって動作し、前記蓄電素子の状態を監視する監視部と、前記監視部に接続されている第１のアイソレータと、前記監視部に接続されている第２のアイソレータと、を有し、前記蓄電モジュールの前記第２のアイソレータが前記デイジーチェーン接続における次段の前記蓄電モジュールの前記第１のアイソレータに前記通信線を介して接続されている。
【００１１】
上記の蓄電装置によると、蓄電モジュール間を接続する通信線が上段の蓄電モジュールの第２のアイソレータと下段の蓄電モジュールの第１のアイソレータとに接続されるので、通信線の絶縁性を高めることができる。このため、蓄電素子から電力が供給される監視部から通信線に高電圧が印加されることを防止できる。これにより、蓄電装置を家庭などに設置する際に作業者が通信線に触れて感電した場合の危険性を低減でき、作業者の安全性が向上する。
【００１２】
上記の蓄電装置は、前記複数の蓄電モジュールを管理する管理部と、前記管理部に接続されている第３のアイソレータと、を有する管理装置を備え、前記第３のアイソレータが前記デイジーチェーン接続の最上段の前記蓄電モジュールの前記第１のアイソレータに通信線を介して接続されてもよい。
【００１３】
上記の蓄電装置によると、管理装置と最上段の蓄電モジュールとを接続する通信線が管理装置の第３のアイソレータと最上段の蓄電モジュールの第１のアイソレータとに接続されるので、通信線の絶縁性を高めることができる。このため、管理部から通信線に高電圧が印加されることを防止できる。これにより、蓄電装置を家庭などに設置する際に作業者が通信線に触れて感電した場合の危険性を低減でき、作業者の安全性が向上する。
【００１４】
上記の蓄電装置は、各前記アイソレータに電圧を印加する電源部を備えてもよい。
【００１５】
一般に監視部はアイソレータを１つしか介さないことを想定して設計されている。このため、二つの蓄電モジュールの間にアイソレータを２重に設けると信号が減衰し、正常に通信できない虞がある。上記の蓄電装置によると、電源部から各アイソレータに電圧を印加するので、アイソレータを１つしか介さないことを想定して設計されている監視部を用いる場合であっても、アイソレータを２重に設けることによって通信線を絶縁しつつ、正常に通信できる。
【００１６】
＜一実施形態＞
一実施形態について図１〜図３を参照しつつ説明する。
【００１７】
（１）蓄電装置の全体構成
図１を参照して、一実施形態に係る蓄電装置１の全体構成について説明する。蓄電装置１は家庭や事業所などに設置される固定型の蓄電装置である。蓄電装置１は正極端子１２Ｐ及び負極端子１２Ｎを介して接続される図示しない充電装置によって充電され、正極端子１２Ｐ及び負極端子１２Ｎを介して接続される図示しない電気機器に電力を供給する。
【００１８】
図１に示すように、蓄電装置１は複数の蓄電モジュール１０、ＢＭＵ１１（Ｂａｔｔｅｒｙ  Ｍａｎａｇｅｍｅｎｔ  Ｕｎｉｔ）、遮断器１３などを備えている。ＢＭＵ１１は管理装置の一例である。図１では蓄電モジュール１０の数が６個の場合を示しているが、蓄電モジュール１０の数は６個に限定されるものではなく、適宜に決定できる。蓄電モジュール１０の数は可変であり、蓄電装置１を設置した後に必要に応じて増減することもできる。
【００１９】
各蓄電モジュール１０は組電池３１を備えており、それらの組電池３１が電力線１４によって直列に接続されている。組電池３１の接続は直列に限定されるものではなく、並列に接続されてもよいし、直列と並列とを組み合わせて接続されてもよい。これらの組電池３１をどのように接続するかは適宜に決定できる。
【００２０】
上述した電力線１４による接続とは別に、各蓄電モジュール１０はデイジーチェーン接続によってＢＭＵ１１と通信可能に接続されている。図１に示す例ではＢＭＵ１１と複数の蓄電モジュール１０とが通信線５２によって直列にデイジーチェーン接続されている。蓄電装置１ではＢＭＵ１１と複数の蓄電モジュール１０とがリング状にデイジーチェーン接続されることには対応していないが、これらがリング状にデイジーチェーン接続されるように構成することも可能である。
【００２１】
以降の説明ではデイジーチェーン接続においてある蓄電モジュール１０より接続順がＢＭＵ１１に近い蓄電モジュール１０を当該ある蓄電モジュール１０の上段の蓄電モジュール１０といい、当該ある蓄電モジュール１０より接続順がＢＭＵ１１から遠い蓄電モジュール１０を当該ある蓄電モジュール１０の下段の蓄電モジュール１０という。以降の説明ではＢＭＵ１１に直接接続されている蓄電モジュール１０を最上段の蓄電モジュール１０といい、末端の蓄電モジュール１０を最下段の蓄電モジュール１０という。
【００２２】
ＢＭＵ１１は各蓄電モジュール１０を一元的に管理する装置である。蓄電装置１ではコストを低減するために各蓄電モジュール１０に管理部が設けられておらず、ＢＭＵ１１によって各蓄電モジュール１０が一元的に管理される。
遮断器１３は複数の蓄電モジュール１０が接続されている電流経路１５に直列に設けられている。遮断器１３は組電池３１の過充電や過放電などの異常が予見される場合に電流経路１５を遮断して組電池３１を異常から保護するためのものである。遮断器１３は例えばＦＥＴ（Ｆｉｅｌｄ  Ｅｆｆｅｃｔ  ｔｒａｎｓｉｓｔｏｒ）やリレーであり、ＢＭＵ１１によって開閉される。
【００２３】
（２）蓄電モジュールの構成
図２を参照して、蓄電モジュール１０の構成について説明する。ここで、図２において一点鎖線２０はＢＭＵ１１と各蓄電モジュール１０とをデイジーチェーン接続している通信系を示している。一点鎖線２０で示す通信系はＢＭＵ１１から蓄電モジュール１０に後述する起動信号及び停止信号を送信するためのものであり、ＢＭＵ１１から蓄電モジュール１０への一方向のみにデータの送信が可能である。以降の説明では一点鎖線２０で示す通信系のことを起動・停止信号通信系２０というものとする。
【００２４】
図２には示していないが、蓄電装置１はＢＭＵ１１と各蓄電モジュール１０とが双方向に通信可能なシリアル通信系も備えている。シリアル通信系ではＢＭＵ１１と各蓄電モジュール１０とが共通の通信バスに接続されており、パルストランスによって通信が絶縁化されている。シリアル通信系におけるＢＭＵ１１と各蓄電モジュール１０との接続形態は適宜に決定することができる。
【００２５】
蓄電モジュール１０は組電池３１（蓄電素子の一例）、監視ＩＣ３２（Ｉｎｔｅｇｒａｔｅｄ  Ｃｉｒｃｕｉｔ）、第１のフォトカプラ３３（第１のアイソレータの一例）、第２のフォトカプラ３４（第２のアイソレータの一例）などを備えている。監視ＩＣ３２、第１のフォトカプラ３３及び第２のフォトカプラ３４は図示しない回路基板に実装されている。監視ＩＣ３２は監視部の一例である。
【００２６】
組電池３１は２０個の電池セル３５が直列に接続されたものである。各電池セル３５は繰り返し充電可能な二次電池であり、具体的には例えば正極にリン酸鉄系材料、負極にグラファイトを用いたリチウムイオン電池である。各電池セル３５の電圧は例えば３．５Ｖである。このため２０個の電池セル３５が直列に接続されている組電池３１の電圧は７０Ｖとなり、蓄電モジュール１０の数が６個の場合は蓄電装置１全体で４２０Ｖとなる。
【００２７】
電池セル３５の数は２０個に限定されるものではなく、適宜に決定できる。電池セル３５の接続は直列に限定されるものではなく、並列に接続されてもよいし、直列と並列とを組み合わせて接続されてもよい。これらの電池セル３５をどのように接続するかは適宜に決定できる。
【００２８】
監視ＩＣ３２は組電池３１から印加される電圧によって動作するものであり、以下に説明する第１の通信機能、第２の通信機能、監視機能、省電力機能などを有している。
第１の通信機能は起動・停止信号通信系２０を介して前段の蓄電モジュール１０（最上段の蓄電モジュール１０の場合はＢＭＵ１１）、及び、次段の蓄電モジュール１０と通信する機能である。
第２の通信機能は前述した図示しないシリアル通信系を介してＢＭＵ１１と通信する機能である。
【００２９】
監視機能は、各電池セル３５の電圧を検出し、シリアル通信系を介してＢＭＵ１１に送信する機能である。詳しくは後述するが、監視ＩＣ３２は電圧を検出すると直ちにＢＭＵ１１に送信するのではなく、ＢＭＵ１１から送信が指示されるまで待機し、送信が指示されるとＢＭＵ１１に電圧値を送信する。監視ＩＣ３２は各電池セル３５の電圧に加えて組電池３１全体の電圧を検出してＢＭＵ１１に送信してもよい。
【００３０】
省電力機能はＢＭＵ１１の指示の下で省電力モードに移行する機能である。詳しくは後述するが、ＢＭＵ１１は起動・停止信号通信系２０を介して各監視ＩＣ３２に停止信号を送信することによって各監視ＩＣ３２に省電力モードへの移行を指示する。監視ＩＣ３２は停止信号を受信すると通常モードから省電力モードに移行する。監視ＩＣ３２は省電力モードに移行すると機能を停止し、ＢＭＵ１１からの起動信号を待ち受ける状態になる。監視ＩＣ３２は省電力モードに移行した後にＢＭＵ１１から起動信号を受信すると通常モードに復帰する。
【００３１】
第１のフォトカプラ３３は前段の蓄電モジュール１０（最上段の蓄電モジュール１０の場合はＢＭＵ１１）から監視ＩＣ３２に送信される起動信号及び停止信号を中継するものである。第１のフォトカプラ３３は受光素子が監視ＩＣ３２に接続されている。
第２のフォトカプラ３４は監視ＩＣ３２から次段の蓄電モジュール１０に送信される起動信号及び停止信号を中継するものである。第２のフォトカプラ３４は発光素子が監視ＩＣ３２に接続されている。
【００３２】
（３）ＢＭＵの構成
ＢＭＵ１１は管理部４０、第３のフォトカプラ４１（第３のアイソレータの一例）、内蔵電源４３、及び、絶縁型ＤＣ／ＤＣコンバータ４２（電源部の一例）を備えている。
管理部４０は蓄電モジュール１０から供給される電力によって動作するものであり、ＣＰＵ４０Ａ、ＲＯＭ４０Ｂ、ＲＡＭ４０Ｃ、通信ＩＣ４０Ｄなどを備えている。ＲＯＭ４０Ｂには各種の制御プログラムが記憶されている。通信ＩＣ４０Ｄは起動・停止信号通信系２０及び前述した図示しないシリアル通信系を介して各蓄電モジュール１０と通信するための回路である。図１及び図２では省略しているが、通信ＩＣ４０Ｄは前述した図示しない充電装置とも通信可能に接続される。管理部４０（より具体的にはＣＰＵ４０Ａ）はＲＯＭ４０Ｂに記憶されている制御プログラムを実行することによって後述する各種の処理を実行する。
【００３３】
第３のフォトカプラ４１は管理部４０と最上段の蓄電モジュール１０の監視ＩＣ３２との通信を中継するものである。第３のフォトカプラ４１は発光素子が管理部４０の通信ＩＣ４０Ｄに接続されている。
絶縁型ＤＣ／ＤＣコンバータ４２は管理部４０の内蔵電源４３から印加される電圧を絶縁変換によって５Ｖに降圧し、通信線５３を介して各フォトカプラの発光素子に印加する回路である。図２では絶縁型ＤＣ／ＤＣコンバータ４２から第２のフォトカプラ３４の発光素子及び第３のフォトカプラ４１の発光素子に電圧を印加する経路の一部を省略しているが、これらのフォトカプラの発光素子にも絶縁型ＤＣ／ＤＣコンバータ４２から５Ｖの電圧が印加される。一般に５Ｖは感電しても人体への影響がほぼなく、危険性がない電圧である。
図２に示すように、絶縁型ＤＣ／ＤＣコンバータ４２は通信線５４によって各蓄電モジュール１０の第２のフォトカプラ３４の受光素子及びＢＭＵ１１の第３のフォトカプラ４１の受光素子にも接続されている。
【００３４】
（４）起動・停止信号通信系
図２に示すように、ＢＭＵ１１の第３のフォトカプラ４１の受光素子はデイジーチェーン接続における最上段の蓄電モジュール１０の第１のフォトカプラ３３の発光素子に通信線５１を介して接続されている。これにより、ＢＭＵ１１と最上段の蓄電モジュール１０とを接続している通信線５１は２重に設けられたフォトカプラ（すなわちＢＭＵ１１の第３のフォトカプラ４１、及び、最上段の蓄電モジュール１０の第１のフォトカプラ３３）によってＢＭＵ１１の管理部４０及び最上段の蓄電モジュール１０の監視ＩＣ３２から電気的に絶縁されている。
【００３５】
最下段の蓄電モジュール１０を除いて、各蓄電モジュール１０の第２のフォトカプラ３４の受光素子はデイジーチェーン接続における次段の蓄電モジュール１０の第１のフォトカプラ３３の発光素子に通信線５２を介して接続されている。これにより、上段の蓄電モジュール１０と下段の蓄電モジュール１０とを接続している通信線５２は２重に設けられたフォトカプラ（すなわち上段の蓄電モジュール１０の第２のフォトカプラ３４、及び、下段の蓄電モジュール１０の第１のフォトカプラ３３）によって上段の蓄電モジュール１０の監視ＩＣ３２及び下段の蓄電モジュール１０の監視ＩＣ３２から電気的に絶縁されている。
【００３６】
ＢＭＵ１１の絶縁型ＤＣ／ＤＣコンバータ４２は前述したように通信線５３によって各蓄電モジュール１０の第１のフォトカプラ３３の発光素子に接続されているとともに、通信線５４によって各蓄電モジュール１０の第２のフォトカプラ３４の受光素子及びＢＭＵ１１の第３のフォトカプラ４１の受光素子に接続されている。これらの通信線５３，５４も各フォトカプラによってＢＭＵ１１の管理部４０や各蓄電モジュール１０の監視ＩＣから電気的に絶縁されている。
【００３７】
（５）管理部によって実行される処理
次に、ＢＭＵ１１の管理部４０によって実行される処理について説明する。ここでは管理部４０によって実行される処理として受信処理、保護処理、及び、省電力処理について説明する。
【００３８】
受信処理はシリアル通信系を介して各蓄電モジュール１０から電圧値を受信する処理である。管理部４０は各蓄電モジュール１０に電圧値の送信を指示し、各蓄電モジュール１０の監視ＩＣ３２は電圧値の送信が指示されるとＢＭＵ１１に電圧値を送信する。ただし、各蓄電モジュール１０が一斉に電圧値を送信すると管理部４０の処理が一時に集中してしまう。このため、管理部４０は蓄電モジュール１０毎に時間をずらして電圧値の送信を指示する。これにより各蓄電モジュール１０がＢＭＵ１１に電圧値を送信するタイミングが分散され、処理の集中が回避される。
【００３９】
保護処理は、各蓄電モジュール１０から受信した電圧値を監視し、過充電や過放電などの異常が予見される場合に電流経路１５を遮断して組電池３１を異常から保護する処理である。具体的には例えば、管理部４０はいずれかの電池セル３５の電圧値がある一定の値まで上昇すると過充電が近いと判断し（すなわち過充電を予見し）、遮断器１３を開いて電流経路１５を遮断する。逆に、管理部４０はいずれかの電池セル３５の電圧値がある一定の値まで下降すると過放電が近いと判断し（すなわち過放電を予見し）、遮断器１３を開いて電流経路１５を遮断する。これにより組電池３１が異常から保護される。
【００４０】
省電力処理は、前述した保護処理において過放電が予見されて電流経路１５を遮断した場合に、監視ＩＣ３２によって消費される電力を抑制するために監視ＩＣ３２を省電力モードに移行させる処理である。具体的には、管理部４０は、保護処理によって電流経路１５を遮断すると、起動・停止信号通信系２０を介して最上段の蓄電モジュール１０に停止信号を送信する。送信された停止信号は最上段の蓄電モジュール１０から下段の蓄電モジュール１０に順次転送され、各蓄電モジュール１０の監視ＩＣ３２は転送後に省電力モードに移行する。
【００４１】
管理部４０は、各監視ＩＣ３２を省電力モードに移行させた後、前述した充電装置から充電開始を通知する信号を受信すると、監視ＩＣ３２を通常モードに復帰させる。具体的には、管理部４０は当該信号を受信すると起動・停止信号通信系２０を介して最上段の蓄電モジュール１０に起動信号を送信する。最上段の蓄電モジュール１０の監視ＩＣ３２は起動信号を受信すると通常モードに復帰し、次段の蓄電モジュール１０に起動信号を送信する。次段の蓄電モジュール１０の監視ＩＣ３２は起動信号を受信すると通常モードに復帰し、更に次段の蓄電モジュール１０に起動信号を送信する。これにより各監視ＩＣ３２が順に通常モードに復帰する。
管理部４０は各監視ＩＣ３２が通常モードに復帰して組電池３１の監視が確立されると遮断器１３を閉じる。これにより蓄電装置１が充電装置によって充電される。
【００４２】
（３）実施形態の効果
上記実施形態に係る蓄電装置１の効果を、図３に示す比較例を参照しつつ説明する。図３に示す比較例では各蓄電モジュール１００に第２のフォトカプラ３４が設けられておらず、上段の蓄電モジュール１００の監視ＩＣ３２が通信線１０２及び１０３を介して下段の蓄電モジュール１００の第１のフォトカプラ３３に直に接続されている。通信線１０２及び１０３には監視ＩＣ３２から７０Ｖという高電圧が印加されるので、作業者が通信線１０２，１０３に触れて感電すると危険である。
【００４３】
これに対し、図２に示すように、蓄電装置１によると、蓄電モジュール１０間を接続する通信線５２が上段の蓄電モジュール１０の第２のフォトカプラ３４と下段の蓄電モジュール１０の第１のフォトカプラ３３とに接続されるので、通信線５２の絶縁性を高めることができる。このため、組電池３１から電力が供給される監視ＩＣ３２から通信線５２に高電圧が印加されることを防止できる。これにより、蓄電装置１を家庭などに設置する際に作業者が通信線５２に触れて感電した場合の危険性を低減でき、作業者の安全性が向上する。
【００４４】
蓄電装置１によると、通信線５１がＢＭＵ１１の第３のフォトカプラ４１と最上段の蓄電モジュール１０の第１のフォトカプラ３３とに接続されるので、通信線５１の絶縁性を高めることができる。このため、管理部４０から通信線５１に高電圧が印加されることを防止できる。これにより、蓄電装置１を家庭などに設置する際に作業者が通信線５１に触れて感電した場合の危険性を低減でき、作業者の安全性が向上する。
【００４５】
蓄電装置１によると、絶縁型ＤＣ／ＤＣコンバータ４２から各フォトカプラに電圧を印加することにより、通信線５１，５２を絶縁しつつ正常に通信することができる。一般に監視ＩＣ３２はフォトカプラを１つしか介さないことを想定して設計されているので、二つの蓄電モジュール１０の間にフォトカプラを２重に設けると信号が減衰し、正常に通信できない虞がある。蓄電装置１によると、絶縁型ＤＣ／ＤＣコンバータ４２から各フォトカプラに電圧を印加するので、フォトカプラを１つしか介さないことを想定して設計されている監視ＩＣ３２を用いる場合であっても、フォトカプラを２重に設けることによって通信線５１，５２を絶縁しつつ、正常に通信できる。
【００４６】
＜他の実施形態＞
本明細書で開示される技術は上記記述及び図面によって説明した実施形態に限定されるものではなく、例えば次のような種々の態様も含まれる。
【００４７】
（１）上記実施形態ではアイソレータとしてフォトカプラを例に説明した。しかしながら、アイソレータはフォトカプラに限定されるものではなく、例えばデジタルアイソレータであってもよい。
【００４８】
（２）上記実施形態ではＢＭＵ１１に第３のフォトカプラ４１が設けられている場合を例に説明したが、第３のフォトカプラ４１を設けず、図３に示す比較例のように管理部４０が最上段の蓄電モジュール１０の第１のフォトカプラ３３に直に接続されてもよい。
【００４９】
（３）上記実施形態ではＢＭＵ１１によって各蓄電モジュール１０が一元的に管理される場合を例に説明した。これに対し、個々の蓄電モジュール１０に管理部を設け、各蓄電モジュール１０をそれぞれその蓄電モジュール１０に設けられている管理部によって管理してもよい。その場合、ＢＭＵ１１は前述した保護処理や省電力処理だけを実行してもよい。
【００５０】
（４）上記実施形態で説明した各蓄電モジュール１０は複数の電池セル３５の電圧（言い換えるとＳＯＣ）を均等化する均等化回路を備えてもよい。均等化回路は電池セル３５毎に放電抵抗とスイッチとが設けられている回路である。これらのスイッチはＢＭＵ１１の指示の下で監視ＩＣ３２によって開閉される。
具体的には例えば、蓄電モジュール１０が直列接続されている場合は、ＢＭＵ１１の管理部４０は全ての蓄電モジュール１０の中から相対的に電圧が高い電池セル３５を判断し、その電池セル３５を放電させるよう監視ＩＣ３２に指示する。電池モジュール１０が並列接続されている場合は、管理部４０は蓄電池モジュール１０毎にその蓄電モジュール１０の中から相対的に電圧が高い電池セル３５を判断し、その電池セル３５を放電させるよう監視ＩＣ３２に指示する。監視ＩＣ３２はＢＭＵ１１から放電が指示された電池セル３５に対応するスイッチを閉じることによってその電池セル３５を放電抵抗によって放電させる。これにより各電池セル３５の電圧が均等化される。
電池セル３５間の電圧の均等化に加えて、蓄電モジュール１０間の電圧を均等化する均等化回路を備えてもよい。
【００５１】
（５）上記実施形態で説明した各蓄電モジュール１０は組電池３１の温度を検出する温度センサを備え、検出した温度をＢＭＵ１１に送信してもよい。温度センサは１つの組電池３１に対して１つだけ設けられてもよいし、複数設けられてもよい。
【００５２】
（６）上記実施形態では起動・停止信号通信系２０とは別にシリアル通信系を備える場合を例に説明したが、シリアル通信系に替えて、起動・停止信号通信系２０と同様にフォトカプラを用いる通信系を備え、それによりＢＭＵ１１と各蓄電モジュール１０との逆方向の通信を可能にしてもよい。具体的には、起動・停止信号通信系２０とは各フォトカプラの通信方向が逆である別の通信系を備え、起動・停止信号通信系２０と当該別の通信系とによってＢＭＵ１１と各蓄電モジュール１０との双方向の通信を可能にしてもよい。
【００５３】
（７）上記実施形態では蓄電素子として複数の電池セル３５からなる組電池３１を例に説明したが、蓄電素子は一つの電池セル３５によって構成されてもよい。蓄電素子はリン酸鉄系リチウムイオン電池に限らず、マンガン系リチウムイオン電池、負極にチタンを含むチタン系リチウムイオン電池、鉛電池など他の二次電池でもよい。更に、蓄電素子は二次電池に限らず、キャパシタでもよい。
【００５４】
（８）上記実施形態では管理部として１つのＣＰＵ４０Ａを有する管理部４０を例に説明したが、管理部の構成はこれに限られない。例えば、管理部は複数のＣＰＵを備える構成や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）などのハード回路を備える構成や、ハード回路及びＣＰＵの両方を備える構成でもよい。
【符号の説明】
【００５５】
１…蓄電装置、１０…蓄電モジュール、１１…ＢＭＵ（管理装置の一例）、３１…組電池（蓄電素子の一例）、３２…監視ＩＣ（監視部の一例）、３３…第１のフォトカプラ（第１のアイソレータの一例）、３４…第２のフォトカプラ（第２のアイソレータの一例）、４０…管理部、４１…第３のフォトカプラ（第３のアイソレータの一例）、４２…絶縁型ＤＣ／ＤＣコンバータ（電源部の一例）、５１〜５４…通信線
【図１】
2019030134.tif 000003
【図２】
2019030134.tif 000004
【図３】
2019030134.tif 000005